(57)【要約】【課題】デジタル放送受信動作を停止させることなく、消費電力の低減化及び信号処理量の低減化を実現するデジタル放送受信端末を提供する。【解決手段】３セグメント受信端末１０は、アンテナ１１と、チューナ・復調部１２と、ＣＰＵ１００とを備える。アンテナ１１は、Ａ階層からなる１セグメント放送と、Ａ階層及びＢ階層からなる３セグメント放送とを受信する。ＣＰＵ１００は、１セグメント方式による受信と、３セグメント方式による受信とを切り替えるようチューナ・復調部１２を制御する切替手段と、３セグメント方式による放送に多重されたサービスのうち選択されたサービスが、Ａ階層によるサービスか、Ａ階層及びＢ階層によるサービスかを判定する判定手段と、選択されたサービスが、Ａ階層によるサービスである場合、１セグメント方式による受信に切り替えるよう切替手段を制御する制御手段とを構成する。【選択図】図１
2007274193.tif 000002
【特許請求の範囲】
【請求項１】
３セグメント方式による放送を選択するとともに、３セグメント方式による放送に多重された１又は複数のサービスのうち、視聴するサービスを選択するサービス選択手段と、
３セグメント方式による放送に多重されたサービスが、基本セグメントによるサービスか、基本セグメント及び拡張セグメントによるサービスかを判定する判定手段と、
１セグメント方式による受信と、３セグメント方式による受信とを切り替える切替手段と、
前記サービス選択手段により選択された放送を、１セグメント方式で受信している場合であって、
前記サービス選択手段により選択されたサービスが、前記判定手段により前記基本セグメント及び拡張セグメントによるサービスであると判断された場合、３セグメント方式による受信に切り替えるよう前記切替手段を制御する制御手段と
を備えることを特徴とするデジタル放送受信端末。
【請求項２】
３セグメント方式による放送を選択するとともに、３セグメント方式による放送に多重された１又は複数のサービスのうち、視聴するサービスを選択するサービス選択手段と、
３セグメント方式による放送に多重されたサービスが、基本セグメントによるサービスか、基本セグメント及び拡張セグメントによるサービスかを判定する判定手段と、
１セグメント方式による受信と、３セグメント方式による受信とを切り替える切替手段と、
前記サービス選択手段により選択された放送を、３セグメント方式で受信している場合であって、
前記サービス選択手段により選択されたサービスが、前記判定手段により前記基本セグメントによるサービスであると判断された場合、１セグメント方式による受信に切り替えるよう前記切替手段を制御する制御手段と
を備えることを特徴とするデジタル放送受信端末。
【請求項３】
３セグメント方式による放送を選択するとともに、３セグメント方式による放送に多重された１又は複数のサービスのうち、視聴するサービスを選択するサービス選択手段と、
３セグメント方式による放送に多重されたサービスが、基本セグメントによるサービスか、基本セグメント及び拡張セグメントによるサービスかを判定する判定手段と、
１セグメント方式による受信と、３セグメント方式による受信とを切り替える切替手段と、
前記サービス選択手段により選択したサービスが、前記判定手段により前記基本セグメント及び拡張セグメントによるサービスと判定され、かつ、当該選択サービスの視聴形態が前記拡張セグメントにおいて伝送されるコンポーネントを必要としない場合、３セグメント方式による受信から１セグメント方式による受信に切り替えるよう前記切替手段を制御する制御手段と
を備えることを特徴とするデジタル放送受信端末。
【請求項４】
前記制御手段は、前記基本セグメントにおいて、視聴対象として選択されている音声コンポーネントが伝送されている場合は、前記選択サービスの視聴形態が拡張セグメントにおいて伝送されるコンポーネントを必要としないと判断し、３セグメント方式による受信から１セグメント方式による受信に切り替えるよう前記切替手段を制御することを特徴とする請求項３に記載のデジタル放送受信端末。
【請求項５】
前記制御手段は、前記基本セグメントにおいて、視聴対象として選択されている音声コンポーネントが伝送され、かつ、映像、若しくはデータ放送を表示する表示部が使用されていないことを検出した場合は、前記選択サービスの視聴形態が拡張セグメントにおいて伝送されるコンポーネントを必要としないと判断し、３セグメント方式による受信から１セグメント方式による受信に切り替えるよう前記切替手段を制御することを特徴とする請求項３に記載のデジタル放送受信端末。
【請求項６】
前記制御手段は、基本セグメントにおいて、視聴対象として選択されている音声コンポーネントが伝送されている場合は、前記サービス選択手段において選択しているサービスを、前記視聴対象として選択されている音声コンポーネントを参照する基本セグメントのサービスに切り替えるとともに、３セグメント方式による受信から１セグメント方式による受信に切り替えるよう前記切替手段を制御することを特徴とする請求項３に記載のデジタル放送受信端末。
【請求項７】
３セグメント方式による放送を選択するとともに、３セグメント方式による放送に多重された１又は複数のサービスのうち、視聴するサービスを選択するサービス選択手段と、
３セグメント方式による放送に多重されたサービスが、基本セグメントによるサービスか、基本セグメント及び拡張セグメントによるサービスかを判定する第１の判定手段と、
１セグメント方式による受信と、３セグメント方式による受信とを切り替える切替手段と、
データ放送におけるマルチメディア・コンテンツを解析する解析手段と、
前記サービス選択手段により選択されたサービスが、前記基本セグメント及び拡張セグメントによるサービスである場合に、当該選択サービスを構成する拡張セグメントによって伝送されるコンポーネントがデータコンポーネントのみであることを判定する第２の判定手段と、
前記サービス選択手段により選択したサービスが、前記第１の判定手段により前記基本セグメント及び拡張セグメントによるサービスであると判定され、かつ、前記第２の判定手段により、当該選択サービスを構成する拡張セグメントによって伝送されるコンポーネントがデータコンポーネントのみであると判定され、かつ、前記解析手段により、最初に提示するスタートアップ文書を含むモジュールであるエントリ・モジュールが取得された場合、３セグメント方式による受信から１セグメント方式による受信に切り替えるよう前記切替手段を制御する制御手段と
を備えることを特徴とするデジタル放送受信端末。
【請求項８】
前記制御手段は、１セグメント方式による受信に切り替えた後、前記解析手段による、前記拡張セグメントで伝送されるモジュールに対する取得要求、又は、前記拡張セグメントで伝送されるモジュールに対するキャッシュへの受信と固定要求、又は、前記拡張セグメントで伝送されるモジュールに対する更新監視要求、又は、前記拡張セグメントで伝送されるイベントメッセージの受信要求により、３セグメント方式による受信に切り替え、すべての要求が完了した場合に、１セグメント方式による受信に切り替えることを特徴とする請求項７に記載のデジタル放送受信端末。
【請求項９】
前記制御手段は、１セグメント方式による受信に切り替えた後、定期的に、３セグメント方式による受信に切り替えるよう前記切替手段を制御することを特徴とする請求項３〜５、７、８のいずれか１項に記載のデジタル放送受信端末。
【発明の詳細な説明】
【技術分野】
【０００１】
本発明は、１セグメント方式による放送と、３セグメント方式による放送とを受信可能なデジタル放送受信端末に関する。
【背景技術】
【０００２】
地上デジタル音声放送では、地上デジタルテレビ放送の１セグ放送と同じ帯域幅を使う１セグメント方式に加え、その３倍の帯域幅を使う３セグメント方式の２つの方式がある。３セグメント方式における中央の一つのセグメントを基本セグメントといい、その両側の２つのセグメントを拡張セグメントという。
【０００３】
又、３セグメント方式による放送の基本セグメント（以下において、「Ａ階層」という。）と拡張セグメント（以下において、「Ｂ階層」という。）を同時に受信でき、又、１セグメント方式による放送を受信できる受信端末を３セグメント受信端末という。
【０００４】
この３セグメント受信端末は、移動受信、携帯受信のため、バッテリーによる動作となることが多く、その消費電力の低減化が望まれている。
【０００５】
そこで、検出されたデータ放送コンテンツの取得状態に応じて、フロントエンド部の動作を停止することにより省電力を実現するデジタル放送受信端末が開示されている（例えば、特許文献１参照。）
【特許文献１】特開２００４−２８２７７４号公報
【発明の開示】
【発明が解決しようとする課題】
【０００６】
しかしながら、上述した従来技術は、デジタル放送受信動作を予め決められた期間だけ停止させることで放送波の受信に伴う電力消費を抑えるため、コンテンツ視聴が成立しない場合がある。
【０００７】
又、３セグメント受信は、１セグメント受信に比べ約３倍の帯域幅を有しており、その分、３セグメント受信端末において、フロントエンド部の復調処理、バックエンド部のＴＳ（Transport Stream）の処理量が増加するという課題がある。
【０００８】
そこで、本発明は、上記の課題に鑑み、デジタル放送受信動作を停止させることなく、消費電力の低減化及び信号処理量の低減化を実現するデジタル放送受信端末を提供することを目的とする。
【課題を解決するための手段】
【０００９】
本発明の第１の特徴は、（ａ）３セグメント方式による放送を選択するとともに、３セグメント方式による放送に多重された１又は複数のサービスのうち、視聴するサービスを選択するサービス選択手段と、（ｂ）３セグメント方式による放送に多重されたサービスが、基本セグメントによるサービスか、基本セグメント及び拡張セグメントによるサービスかを判定する判定手段と、（ｃ）１セグメント方式による受信と、３セグメント方式による受信とを切り替える切替手段と、（ｄ）サービス選択手段により選択された放送を、１セグメント方式で受信している場合であって、サービス選択手段により選択されたサービスが、判定手段により基本セグメント及び拡張セグメントによるサービスであると判断された場合、３セグメント方式による受信に切り替えるよう切替手段を制御する制御手段とを備えるデジタル放送受信端末であることを要旨とする。
【００１０】
第１の特徴に係るデジタル放送受信端末によると、フロントエンド側で基本セグメントのみをまず受信し、選択したサービスが基本セグメント及び拡張セグメントによるサービスである時に、バックエンド側から３セグメントの受信を行うよう、フロントエンド側を制御できる。つまり、選択したサービスが基本セグメントのサービスである時には、そのまま１セグメント方式の受信を継続することができる。
【００１１】
本発明の第２の特徴は、（ａ）３セグメント方式による放送を選択するとともに、３セグメント方式による放送に多重された１又は複数のサービスのうち、視聴するサービスを選択するサービス選択手段と、（ｂ）３セグメント方式による放送に多重されたサービスが、基本セグメントによるサービスか、基本セグメント及び拡張セグメントによるサービスかを判定する判定手段と、（ｃ）１セグメント方式による受信と、３セグメント方式による受信とを切り替える切替手段と、（ｄ）サービス選択手段により選択された放送を、３セグメント方式で受信している場合であって、サービス選択手段により選択されたサービスが、判定手段により基本セグメントによるサービスであると判断された場合、１セグメント方式による受信に切り替えるよう切替手段を制御する制御手段とを備えるデジタル放送受信端末であることを要旨とする。
【００１２】
第２の特徴に係るデジタル放送受信端末によると、基本セグメントのみを受信したとしても、サービス視聴は成立するため、１セグメント方式の受信に切り替えることができる。このため、デジタル放送受信動作を停止させることなく、消費電力の低減化及び信号処理量の低減化を実現することができる。
【００１３】
本発明の第３の特徴は、（ａ）３セグメント方式による放送を選択するとともに、３セグメント方式による放送に多重された１又は複数のサービスのうち、視聴するサービスを選択するサービス選択手段と、（ｂ）３セグメント方式による放送に多重されたサービスが、基本セグメントによるサービスか、基本セグメント及び拡張セグメントによるサービスかを判定する判定手段と、（ｃ）１セグメント方式による受信と、３セグメント方式による受信とを切り替える切替手段と、（ｄ）サービス選択手段により選択したサービスが、判定手段により基本セグメント及び拡張セグメントによるサービスと判定され、かつ、当該選択サービスの視聴形態が拡張セグメントにおいて伝送されるコンポーネントを必要としない場合、３セグメント方式による受信から１セグメント方式による受信に切り替えるよう切替手段を制御する制御手段とを備えるデジタル放送受信端末であることを要旨とする。
【００１４】
第３の特徴に係るデジタル放送受信端末によると、Ｂ階層サービスにおいても、視聴する番組構成要素（コンポーネント）がＡ階層で伝送されている場合は、１セグメント方式の受信に切り替えることができる。このため、デジタル放送受信動作を停止させることなく、消費電力の低減化及び信号処理量の低減化を実現することができる。
【００１５】
又、第３の特徴に係るデジタル放送受信端末において、制御手段は、基本セグメントにおいて、視聴対象として選択されている音声コンポーネントが伝送されている場合は、選択サービスの視聴形態が拡張セグメントにおいて伝送されるコンポーネントを必要としないと判断し、３セグメント方式による受信から１セグメント方式による受信に切り替えるよう切替手段を制御してもよい。
【００１６】
又、第３の特徴に係るデジタル放送受信端末において、制御手段は、基本セグメントにおいて、視聴対象として選択されている音声コンポーネントが伝送され、かつ、映像、若しくはデータ放送を表示する表示部が使用されていないことを検出した場合は、選択サービスの視聴形態が拡張セグメントにおいて伝送されるコンポーネントを必要としないと判断し、３セグメント方式による受信から１セグメント方式による受信に切り替えるよう切替手段を制御してもよい。
【００１７】
又、第３の特徴に係るデジタル放送受信端末によると、制御手段は、基本セグメントにおいて、視聴対象として選択されている音声コンポーネントが伝送されている場合は、サービス選択手段において選択しているサービスを、視聴対象として選択されている音声コンポーネントを参照する基本セグメントのサービスに切り替えるとともに、３セグメント方式による受信から１セグメント方式による受信に切り替えるよう切替手段を制御してもよい。
【００１８】
この３セグメント受信端末によると、３セグメント方式による受信に定期的に切り替える必要がなくなり、更なる省電力が期待できる。
【００１９】
本発明の第４の特徴は、（ａ）３セグメント方式による放送を選択するとともに、３セグメント方式による放送に多重された１又は複数のサービスのうち、視聴するサービスを選択するサービス選択手段と、（ｂ）３セグメント方式による放送に多重されたサービスが、基本セグメントによるサービスか、基本セグメント及び拡張セグメントによるサービスかを判定する第１の判定手段と、（ｃ）１セグメント方式による受信と、３セグメント方式による受信とを切り替える切替手段と、（ｄ）データ放送におけるマルチメディア・コンテンツを解析する解析手段と、（ｅ）サービス選択手段により選択されたサービスが、基本セグメント及び拡張セグメントによるサービスである場合に、当該選択サービスを構成する拡張セグメントによって伝送されるコンポーネントがデータコンポーネントのみであることを判定する第２の判定手段と、（ｆ）サービス選択手段により選択したサービスが、第１の判定手段により基本セグメント及び拡張セグメントによるサービスであると判定され、かつ、第２の判定手段により、当該選択サービスを構成する拡張セグメントによって伝送されるコンポーネントがデータコンポーネントのみであると判定され、かつ、解析手段により、最初に提示するスタートアップ文書を含むモジュールであるエントリ・モジュールが取得された場合、３セグメント方式による受信から１セグメント方式による受信に切り替えるよう切替手段を制御する制御手段とを備えるデジタル放送受信端末であることを要旨とする。
【００２０】
第４の特徴に係るデジタル放送受信端末によると、Ａ階層で伝送される音声に加え、Ｂ階層で伝送されるマルチメディア・コンテンツも視聴する場合、３セグメント受信モードで、必要なマルチメディア・コンテンツを含むモジュールを取得した後は、１／３セグメント切替え受信モードに切り替えることができる。このため、デジタル放送受信動作を停止させることなく、消費電力の低減化及び信号処理量の低減化を実現することができる。
【００２１】
又、第４の特徴に係るデジタル放送受信端末において、制御手段は、１セグメント方式による受信に切り替えた後、解析手段による、拡張セグメントで伝送されるモジュールに対する取得要求、又は、拡張セグメントで伝送されるモジュールに対するキャッシュへの受信と固定要求、又は、拡張セグメントで伝送されるモジュールに対する更新監視要求、又は、拡張セグメントで伝送されるイベントメッセージの受信要求により、３セグメント方式の受信に切り替え、すべての要求が完了した場合に、１セグメント方式の受信に切り替えてもよい。
【００２２】
このデジタル放送受信端末によると、Ｂ階層で伝送されるモジュールやイベントメッセージが必要な場合は、３セグメント方式による受信が可能となる。
【００２３】
又、第３及び第４の特徴に係るデジタル放送受信端末において、制御手段は、１セグメント方式による受信に切り替えた後、定期的に、３セグメント方式による受信に切り替えるよう切替手段を制御してもよい。
【００２４】
このデジタル放送受信端末によると、Ｂ階層で伝送されるPMTの更新、又、Ｂ階層で伝送されるデータ放送コンテンツの更新を監視することができる。
【発明の効果】
【００２５】
本発明によると、デジタル放送受信動作を停止させることなく、消費電力の低減化及び信号処理量の低減化を実現するデジタル放送受信端末を提供することができる。
【発明を実施するための最良の形態】
【００２６】
次に、図面を用いて、本発明の実施形態を説明する。以下の図面の記載において、同一又は類似の部分には、同一又は類似の符号を付している。ただし、図面は模式的なものであることに留意すべきである。
【００２７】
＜第１の実施形態＞
第１の実施形態では、３セグメント受信端末のフロントエンド側で、３セグメント方式による放送を１セグメント方式で受信して、バックエンド側の処理において、選択したサービスがＢ階層サービスであると判断された場合に、３セグメント方式の受信に切り替える処理について説明する。
【００２８】
（３セグメント受信端末の構成）
第１の実施形態に係る３セグメント受信端末１０は、図１に示すように、アンテナ１１と、チューナ・復調部１２と、ＤＥＭＵＸ処理部１３と、音声復号部１４と、簡易動画復号部１５と、提示処理部１６と、Ｉ／Ｏ１７と、一時的なデータを保存するメモリ１８と、各部をつなぐシステムバス１９と、ＣＰＵ１００とを備える。
【００２９】
アンテナ１１は、Ａ階層からなる１セグメント放送と、Ａ階層及びＢ階層からなる３セグメント放送とを受信する。
【００３０】
図２に、３セグメント形式の伝送モデル例を示す。VHF 7ch の周波数帯を使用し、１つのセグメントを使用する１セグメント放送（１セグメントに割り当てられた一つのTS（Transport Stream）を１セグメントTS（1segTS）という。）と、３つのセグメントを使用する３セグメント放送（３セグメントに割り当てられた一つのTSを３セグメントTS（3segTS）という。）が存在し、合計８つのセグメントを連結して送信している。
【００３１】
ここで、NIT（Network Information Table）は、周波数などの伝送路情報と編成チャンネル（サービスのこと）を関連づける情報を伝送するもので、一つの分配システム（地上デジタル音声放送では１つのTSのこと）に含まれる全ての編成チャンネルID番号（サービス番号のこと）が記載されている。尚、NITはＡ階層で伝送される。
【００３２】
又、PMT（Program Map Table）は、番組構成要素を伝送するTSパケットのパケットID（PID）を指定するもので、編成チャネル数分（サービス数分）配置される。TSパケットのPIDが同一の番組構成要素（映像、音声、データ放送コンテンツ）をコンポーネントと呼ぶ。このPIDが同一のTSパケットで伝送される番組構成要素の各々に対して、映像コンポーネント、音声コンポーネント、データコンポーネントと呼ぶ。
【００３３】
フロントエンド側のチューナ・復調部１２は、階層構成や各セグメントの伝送パラメータ等、受信機の復調動作に関わる情報を伝送するTMCC（Transmission Multiplexing Configuration Control）信号を参照して、１セグメントTSなのか、３セグメントTSなのかを判断する。つまり、１セグメントをまず受信し、TMCC信号を解析して、３セグメントTSである場合、後述するバックエンド側の処理で選択指定されたサービスがＢ階層サービスである場合に、後述するＣＰＵ１００による切り替え制御信号により、１セグメント方式の受信から３セグメント方式の受信に切り替えることができる。
【００３４】
バックエンド側の処理として、TSからNITを抽出し、TS情報記述子により、受信したTSに含まれるサービスがＡ階層、Ｂ階層のいずれの階層のサービスかを判定し、３セグメント受信端末ならば、Ｂ階層サービスの視聴をユーザに対して許可することができる。選局指定されたサービスのPMTを抽出・解析し、番組構成要素である、映像、音声、データ放送コンテンツ（データ放送におけるマルチメディア・コンテンツ）のコンポーネントを特定する（TSパケットのPIDを特定する）。
【００３５】
ＤＥＭＵＸ処理部１３は、PIDをフィルタリング条件として、映像、音声、データの各コンポーネントを分離する。
【００３６】
音声復号部１４は、ＤＥＭＵＸ処理部１３によって分離された音声情報の復号化を行い、音声を出力する。
【００３７】
簡易動画復号部１５は、ＤＥＭＵＸ処理部１３によって分離された映像情報の復号化を行う。
【００３８】
提示処理部１６は、簡易動画復号部１５によって復号化された映像や、後述するＣＰＵ１００によって指示された情報を表示部に出力する。ここで、表示部とは、モニタなどの画面を指し、液晶表示装置（ＬＣＤ）、発光ダイオード（ＬＥＤ）パネル、エレクトロルミネッセンス（ＥＬ）パネル等が使用可能である。
【００３９】
Ｉ／Ｏ１７は、入出力制御を行い、入力部と、無線あるいは有線により接続される。ここで、入力部とは、３セグメント受信端末に対するユーザが操作可能な操作機器であるタッチパネルやキーボード、あるいはリモコンからの無線信号受信部等を指す。又、Ｉ／Ｏ１７は、３セグメント方式による放送を選択するとともに、３セグメント方式による放送に多重された１又は複数のサービスのうち、視聴するサービスを選択するサービス選択手段として機能する。
【００４０】
ＣＰＵ１００は、チューナ・復調部１２に対して、１セグメント方式による受信と、３セグメント方式による受信とを切り替える切り替え制御信号を送信する。又、ＣＰＵ１００は、TS情報記述子の内容により、３セグメント方式による放送に多重されたサービスのうち選択されたサービスが、基本セグメントによるサービス（以下において、「Ａ階層サービス」という。）か、基本セグメント及び拡張セグメントによるサービス（以下において、「Ｂ階層サービス」という。）かを判定し、視聴するサービスが、Ｂ階層サービスである場合、チューナ・復調部１２に対して、３セグメント方式による受信に切り替える切り替え制御信号を送信する。即ち、ＣＰＵ１００は、３セグメント方式による放送に多重されたサービスが、Ａ階層サービスか、Ｂ階層サービスかを判定する判定手段と、１セグメント方式による受信と、３セグメント方式による受信とを切り替えるようチューナ・復調部１２を制御する切替手段と、３セグメント方式による放送に多重された、１又は複数のサービスのうち、選局指定されたサービスが、Ｂ階層サービスである場合、３セグメント方式による受信に切り替えるよう切替手段を制御する制御手段として機能する。
【００４１】
ここで、Ａ階層にPMTを配置する場合、そのPMTから参照されるすべてのコンポーネントはＡ階層内に配置しなければならない。Ｂ階層にPMTを配置する場合、そのPMTから参照されるコンポーネントはＡ・Ｂ両階層に配置することができる。即ち、PMTがＡ階層に配置されているものが、Ａ階層サービスであり、PMTがＢ階層に配置されているものをがＢ階層サービスである。
【００４２】
３セグメント放送時におけるPMTの配置例を図３に示す。「条件１」のPMTは、一つのサービスを示すPMTと、そのサービスを構成するコンポーネントをすべて同一の階層で伝送する場合のPMTである。一方、「条件２」のPMTは、コンポーネントの一部を、別の階層におく場合のPMTである。
【００４３】
具体的には、ＣＰＵ１００は、Ａ階層サービスかＢ階層サービスか、即ち、PMTがどの階層で伝送されているかを、NITに含まれるTS情報記述子を参照することで判定する。
【００４４】
（３セグメント受信端末の動作）
次に、第１の実施形態に係る３セグメント受信端末の動作について、図４、図５及び図８を用いて説明する。
【００４５】
まず、３セグメント受信端末は、図４（ａ）に示すように、受信したTSからPATを受信、監視し（ステップＳ１０１）、更新がある場合は（ステップＳ１０２）、メモリ等に保存しているPAT情報を更新する（ステップＳ１０３）。
【００４６】
又、３セグメント受信端末は、図４（ｂ）に示すように、受信したTSからNITを受信、監視し（ステップＳ２０１）、更新がある場合は（ステップＳ２０２）、メモリ等に保存しているNIT情報を更新する（ステップＳ２０３）。
【００４７】
又、３セグメント受信端末は、図４（ｃ）に示すように、PAT情報、NIT情報を参照し、受信したTSから視聴サービスのPMTを受信、監視し（ステップＳ３０１）、更新がある場合は（ステップＳ３０２）、このPMTの記載内容に応じて、コンポーネントの受信を制御する（ステップＳ３０３）。
【００４８】
更に、第１の実施形態に係る３セグメント受信端末は、Ａ階層コンポーネント管理テーブルを保持し、これを更新する。
【００４９】
即ち、図５に示すように、３セグメント受信端末は、PAT情報、NIT情報を参照し、Ａ階層サービスのPMTを受信、監視し（ステップＳ４０１）、監視しているPMTからＡ階層で伝送されるコンポーネントに変化があると判定される場合は（ステップＳ４０２）、Ａ階層コンポーネント管理テーブルを更新する（ステップＳ４０３）。
【００５０】
Ａ階層コンポーネント管理テーブルの例を図６に示す。図６において、service_idは、当該階層をサービス階層とするサービスの識別子である。又、stream_typeは、図７に示すように、地上デジタル音声放送運用規定（ＴＲ−Ｂ１３）にて規定されているストリーム形式識別子である。又、PIDは、サービスの構成要素を伝送するTSパケットのパケットIDである。ここで、図６は、図１１に示すTSを受信して作成されたＡ階層コンポーネント管理テーブルであり、Ａ階層サービスであるservice_idが1001であるPMT、service_idが1005であるPMTを受信したことにより作成された例である。
【００５１】
次に、図８を用いて、第１の実施形態に係る３セグメント受信端末の１セグメント方式の受信と３セグメント方式の受信の切り替え方法について説明する。
【００５２】
まず、３セグメント受信端末は、ユーザによる選局操作において、受信サービスの指定を行う（ステップＳ５０１）。次に、１セグメント方式による指定TSを受信する（ステップＳ５０２）。
【００５３】
次に、３セグメント受信端末は、PAT及びNITを受信し、PAT情報及びTS情報記述子を含むNIT情報を参照する（ステップＳ５０３）。そして、３セグメント受信端末は、PMTがどの階層で伝送されているかを、NITに含まれるTS情報記述子を参照することで、指定のサービスは、Ａ階層サービスかＢ階層サービスかを判定する（ステップＳ５０４）。
【００５４】
Ａ階層サービスである場合は、受信方式の切替を行うことなく、選局指定のサービスのPMTを受信し（ステップＳ５０５）、このPMTの記載内容に応じて、番組構成要素を受信し、情報の復号化、提示を行う（ステップＳ５０６）。
【００５５】
一方、Ｂ階層サービスである場合は、３セグメント受信端末は、３セグメント方式の受信に切り替え（ステップＳ５０７）、Ｂ階層サービスの受信処理を行う（ステップＳ５０８）。Ｂ階層サービスの受信処理について、第３の実施形態において説明する。
【００５６】
（作用及び効果）
第１の実施形態に係る３セグメント受信端末によると、フロントエンド側で、３セグメント方式による放送を１セグメント方式で受信して、バックエンド側の処理において、選択したサービスがＢ階層サービスであると判断された時点で、３セグメント方式の受信に切り替えることができる。選択したサービスが基本セグメントのサービスである時には、そのまま１セグメント方式の受信を継続することができる。
【００５７】
このため、第１の実施形態に係る３セグメント受信端末によると、デジタル放送受信動作を停止させることなく、消費電力の低減化及び信号処理量の低減化を実現することができる。
【００５８】
＜第２の実施形態＞
第２の実施形態では、３セグメント受信端末のフロントエンド側で、３セグメント方式による放送を３セグメント方式で受信して、バックエンド側の処理において、選択したサービスがＡ階層サービスであると判断された場合に、１セグメント方式の受信に切り替える処理について説明する。
【００５９】
（３セグメント受信端末の構成）
第２の実施形態に係る３セグメント受信端末１０の構成は、図１に示す第１の実施形態と同様である。
【００６０】
フロントエンド側のチューナ・復調部１２は、階層構成や各セグメントの伝送パラメータ等、受信機の復調動作に関わる情報を伝送するTMCC（Transmission Multiplexing Configuration Control）信号を参照して、１セグメント方式による放送なのか、３セグメント方式による放送なのかを判断する。つまり、１セグメント方式の受信により、１セグメントをまず受信し、TMCC信号を解析して、解析結果に応じて３セグメント方式の受信に切り替える。
【００６１】
ＣＰＵ１００は、チューナ・復調部１２に対して、１セグメント方式による受信と、３セグメント方式による受信とを切り替える切り替え制御信号を送信する。又、ＣＰＵ１００は、TS情報記述子の内容により、３セグメント方式による放送に多重されたサービスのうち、選択されたサービスが、基本セグメントによるサービス（以下において、「Ａ階層サービス」という。）か、基本セグメント及び拡張セグメントによるサービス（以下において、「Ｂ階層サービス」という。）かを判定し、視聴するサービスが、Ａ階層サービスである場合、チューナ・復調部１２に対して、１セグメント方式による受信に切り替える切り替え制御信号を送信する。即ち、ＣＰＵ１００は、１セグメント方式による受信と、３セグメント方式による受信とを切り替えるようチューナ・復調部１２を制御する切替手段と、３セグメント方式による放送に多重されたサービスのうち選択されたサービスが、Ａ階層によるサービスか、Ａ階層及びＢ階層によるサービスかを判定する判定手段と、３セグメント方式による放送に多重されたサービスのうち選択されたサービスが、Ａ階層によるサービスである場合、１セグメント方式による受信に切り替えるよう切替手段を制御する制御手段として機能する。
【００６２】
第２の実施形態に係る３セグメント受信端末のその他の機能は、第１の実施形態と同様であるので、ここでは説明を省略する。
【００６３】
（３セグメント受信端末の動作）
次に、第２の実施形態に係る３セグメント受信端末の１セグメント方式の受信と３セグメント方式の受信の切り替え方法について、図９を用いて説明する。
【００６４】
まず、３セグメント受信端末は、ユーザによる選局操作において、受信サービスの指定を行う（ステップＳ６０１）。次に、３セグメント方式による指定TSを受信する（ステップＳ６０２）。
【００６５】
次に、３セグメント受信端末は、PAT及びNITを受信し、PAT情報及びTS情報記述子を含むNIT情報を参照する（ステップＳ６０３）。そして、３セグメント受信端末は、PMTがどの階層で伝送されているかを、NITに含まれるTS情報記述子を参照することで、指定のサービスは、Ａ階層サービスかＢ階層サービスかを判定する（ステップＳ６０４）。
【００６６】
Ａ階層サービスである場合は、３セグメント受信端末は、１セグメント方式の受信に切り替える（ステップＳ６０５）。そして、選局指定のサービスのPMTを受信し（ステップＳ６０６）、このPMTの記載内容に応じて、番組構成要素を受信し、情報の復号化、提示を行う（ステップＳ６０７）。
【００６７】
一方、ステップＳ６０４において、Ｂ階層サービスである場合は、受信方式の切り替えを行うことなく、Ｂ階層サービスの受信処理を行う（ステップＳ６０８）。Ｂ階層サービスの受信処理について、第３の実施形態において説明する。
【００６８】
（作用及び効果）
第２の実施形態に係る３セグメント受信端末によると、３セグメント放送であっても、図３における、「条件１」のPMTに示すように、Ａ階層サービスにおいては、３セグメントを受信する必要はなく、Ａ階層のみを受信したとしても、サービス視聴は成立する。NITのTS情報記述子を参照して、選局指定サービスが、Ａ階層サービスであると判定した場合には、１セグメント方式の受信に切り替えることができる。
【００６９】
このため、第１の実施形態に係る３セグメント受信端末によると、デジタル放送受信動作を停止させることなく、消費電力の低減化及び信号処理量の低減化を実現することができる。
【００７０】
＜第３の実施形態＞
３セグメント放送であって、図３における「条件２」のPMTに示すような、Ｂ階層サービスであっても、音声サービスにおいては、音声情報をＡ階層に配置し、付加価値的なニュース情報、為替情報などのマルチメディア・コンテンツをＢ階層に配置するサービス形態が考えられる。第３の実施の形態では、このようなサービス形態について、本発明を適用する場合について、説明する。
【００７１】
（３セグメント受信端末の構成）
第２の実施形態に係るサービス例について、図１１及び図１２を用いて説明する。３セグメント受信端末に対しては、より多くの情報量が伝送できる変調方式によりデータ放送コンテンツ（データ放送におけるマルチメディア・コンテンツ）を伝送し、１セグメント受信端末に対しては、音声のみで構成された番組を伝送する。ただし、伝送効率を上げるため、音声やPCRについては、Ａ階層のみで伝送し、Ｂ階層サービス、Ａ階層サービス、いずれのサービスにおいても、同一の音声（PID=0x100）を参照する。
【００７２】
又、図１２は、図１１に示すサービス構成例におけるNITのTS情報記述子の記載内容を示す。図１２には、Ａ階層サービスにおいて、サービスが２つ伝送されており、そのservice_idは1001及び1005であることが記述されている。同様に、Ｂ階層サービスにおいて、サービスが３つ伝送されており、そのservice_idは1002、1003及び1004であることが記述されている。
【００７３】
第３の実施形態に係る３セグメント受信端末１０の構成は、第１の実施形態と同様である。
【００７４】
ＣＰＵ１００が、各々のサービスを構成するコンポーネントが何れの階層で伝送されているかを判定するには、３セグメント受信端末１０は、Ａ階層で伝送されるPMTをすべて、または一部を受信する。ＣＰＵ１００は、それらPMTに記載のあるコンポーネントをＡ階層のコンポーネントと判定し、それ以外のコンポーネントをＢ階層のコンポーネントと判断する。又、Ａ階層で伝送されるPMTを一度に受信しても良いし、一つずつ受信しても良い。又、コンポーネントの増減などによるPMT更新の監視は、Ａ階層で伝送されるPMTすべてを対象にしても良いし、視聴するコンポーネントを含むＡ階層サービスのPMTとしても良い。
【００７５】
即ち、ＣＰＵ１００は、１セグメント方式による受信と、３セグメント方式による受信とを切り替えるようチューナ・復調部１２を制御する切替手段と、３セグメント方式による放送に多重されたサービスのうち選択されたサービスが、Ａ階層によるサービスか、Ａ階層及びＢ階層によるサービスかを判定する判定手段と、３セグメント方式による放送に多重されたサービスのうち選択されたサービスが、Ａ階層及びＢ階層によるサービスであり、かつ、サービスの視聴形態が、Ｂ階層において伝送されるコンポーネントを必要としない場合、１セグメント方式による受信に切り替えるよう切替手段を制御する制御手段として機能する。
【００７６】
又、第３の実施形態では、ユーザの選択、若しくは、デフォルト設定により、Ａ階層で伝送される音声コンポーネントのみを視聴する場合、以下の場合に、１セグメント方式の受信に切り替える。
【００７７】
（１）映像、データ放送に非対応の端末である場合
（２）映像、データ放送に対応した端末であって、表示部が折りたたみ式の場合、映像・データ放送を視聴していないと判定できるため、表示部が内側へ畳み込まれている状態を検知し、Ａ階層で伝送される音声コンポーネント以外の視聴が行われていないと判定した場合
（３）映像、データ放送に対応した端末であって、図１３に示すように、ダイアログ出力などのユーザ選択により、Ａ階層で伝送される音声コンポーネント以外の視聴が行われていないと判定した場合
（４）映像、データ放送に対応した端末であって、視聴する音声コンポーネントを参照するＡ階層のサービスが存在する場合
上記（４）の場合に関しては、視聴する本音声コンポーネントを参照するＡ階層のサービスが存在する場合、自動的にＡ階層サービスに切り替えてもよく、あるいは、図１４に示すような画面提示を行い、ユーザの選択により、Ａ階層サービスに切り替えてもよい。尚、図１５に示すようなコンポーネントの構成であった場合、Ｂ階層で伝送されるコンポーネント（それぞれ、映像、音声、データ）が視聴の対象とならないように、ダイアログ出力の文言が決定される。
【００７８】
即ち、ＣＰＵ１００は、Ａ階層において、視聴する音声コンポーネントが伝送されている場合は、Ｂ階層において伝送されるコンポーネントを必要としないと判断し、１セグメント方式による受信に切り替える。あるいは、ＣＰＵ１００は、Ａ階層において、視聴する音声コンポーネントが伝送され、かつ、映像・データ放送コンテンツを表示する表示部が使用されていないことを検出した場合は、Ｂ階層において伝送されるコンポーネントを必要としないと判断し、１セグメント方式による受信に切り替える。あるいは、ＣＰＵ１００は、Ｂ階層において伝送されるコンポーネントを視聴しないことを入力部より受信した場合は、Ｂ階層において伝送されるコンポーネントを必要としないと判断し、１セグメント方式による受信に切り替える。あるいは、ＣＰＵ１００は、NITのTS情報識別子、Ａ階層コンポーネント管理テーブルを参照して、視聴する音声コンポーネントを参照するＡ階層サービスが存在すると判定したときは、自動的に、あるいはＡ階層サービスに切り替えることを入力部より受信した場合に、そのＡ階層サービスに切り替えるとともに、１セグメント方式による受信に切り替える。
【００７９】
又、Ｂ階層サービスにおいては、PMTはＢ階層で伝送される。この為、PMTの更新を監視する為に、定期的に３セグメント方式の受信に切り替える必要がある。従って、ＣＰＵ１００は、図１６に示すように、１セグメント方式による受信に切り替えた後、定期的に、３セグメント方式の受信に切り替える。
【００８０】
尚、PMTの更新は、コンポーネント数の増減など番組構成が変化した場合、コンポーネントを識別するTSのパケットIDが更新した場合などに発生する。
【００８１】
（３セグメント受信端末の動作）
次に、第３の実施形態に係る３セグメント受信端末の１セグメント方式の受信と３セグメント方式の受信の切り替え方法について、図９及び図１０を用いて説明する。
【００８２】
図９のステップＳ６０１〜６０８の処理は、第２の実施形態と同様であるので、ここでは説明を省略する。
【００８３】
次に、図１０において、３セグメント受信端末は、選局指定のサービスのPMTを受信し（ステップＳ７０１）、Ａ階層コンポーネント管理テーブルを生成、参照する（ステップＳ７０２）。尚、Ａ階層コンポーネント管理テーブルの生成及び参照をステップＳ７０２のタイミングで行うとしているが、この処理は、他のタイミングで行っても構わない。
【００８４】
次に、３セグメント受信端末は、サービスの視聴形態が、Ｂ階層で伝送されるコンポーネントを必要とせず、Ａ階層で伝送されるコンポーネントのみであるか判断する（ステップＳ７０３）。Ａ階層で伝送されるコンポーネントのみである場合は、Ａ階層のみの受信である１セグメント方式の受信に切り替える（ステップＳ７０４）。そして、視聴対象となる番組構成要素を受信し、情報の復号化、提示を行う（ステップＳ７０５）。
【００８５】
（作用及び効果）
第３の実施形態に係る３セグメント受信端末によると、３セグメント放送であり、図３における、「条件２」のPMTに示すように、Ｂ階層サービスにおいても、サービスの視聴形態がＢ階層で伝送されるコンポーネントを必要とせず、Ａ階層で伝送されるコンポーネントのみの場合は、１セグメント方式の受信に切り替えることができる。
【００８６】
このため、第３の実施形態に係る３セグメント受信端末によると、デジタル放送受信動作を停止させることなく、消費電力の低減化及び信号処理量の低減化を実現することができる。
【００８７】
又、ＣＰＵ１００は、Ａ階層において、視聴する音声コンポーネントが伝送されている場合、あるいは、Ａ階層において、視聴する音声コンポーネントが伝送され、かつ、映像・データ放送コンテンツを表示する表示部が使用されていないことを検出した場合、あるいは、Ｂ階層において伝送されるコンポーネントを視聴しないことを入力部より受信した場合は、Ｂ階層において伝送されるコンポーネントを必要としないと判断し、１セグメント方式による受信に切り替える。
【００８８】
このように、第３の実施形態に係る３セグメント受信端末によると、実際に視聴するサービスの視聴形態に合わせて、１セグメント方式の受信に切り替えることができる。
【００８９】
又、ＣＰＵ１００は、１セグメント方式による受信に切り替えた後、定期的に、３セグメント方式による受信に切り替える。
【００９０】
このため、第３の実施形態に係る３セグメント受信端末によると、Ｂ階層で伝送されるPMTの更新、又、Ｂ階層で伝送されるデータ放送コンテンツの更新を監視することができる。
【００９１】
又、ＣＰＵ１００は、Ａ階層において、視聴対象として選択されている音声コンポーネントが伝送されている場合は、ユーザが選択しているサービスを、視聴対象として選択されている音声コンポーネントを参照するＡ階層サービスに切り替えるとともに、３セグメント方式による受信から１セグメント方式による受信に切り替える。
【００９２】
このため、第３の実施形態に係る３セグメント受信端末によると、３セグメント方式の受信に定期的に切り替える必要がなくなり、更なる省電力が期待できる。例えば、図１１に示すサービス構成例において、音声視聴のみの視聴形態では、Ｂ階層サービスであるservice_id=1002を選択する必要はなく、Ａ階層サービスであるservice_id=1001を選択することで、Ｂ階層で伝送されるPMTの更新監視を行う必要がなくなる。
【００９３】
＜第４の実施形態＞
第４の実施形態では、第３の実施形態において説明したサービス形態において、Ａ階層で伝送される音声に加え、Ｂ階層で伝送されるマルチメディア・コンテンツも視聴する場合、３セグメント方式の受信である３セグメント受信モードで、必要なマルチメディア・コンテンツを含むモジュールを取得した後は、１／３セグメント切替え受信モードに切り替える。１／３セグメント切替え受信モードは、データ放送コンテンツの更新を検出する為に、図１６に示すように定期的に３セグメントを受信し、Ｂ階層で伝送されるPMTセクション、DIIセクションの受信処理を行う。
【００９４】
ここで、マルチメディア・コンテンツを伝送する、データカルーセル伝送方式について説明する。
【００９５】
データ放送における伝送方式の概要を図１７に示す。マルチメディア・コンテンツは、ブロックに分割されたモジュール単位で伝送される。モジュール末尾のブロック以外の全てのブロックは同じサイズであり、各ブロックは、セクションにて伝送される。
【００９６】
データカルーセル伝送方式では、DownloadDataBlockメッセージ(以下において、「DDBメッセージ」という。)とDownloadInfoIndicationメッセージ(以下において、「DIIメッセージ」という。)が用いられる。マルチメディア・データ本体は、ブロックに分割された各モジュールとしてDDBメッセージによって伝送される。DDBメッセージにはブロック番号が割り当てられ、受信機はこの番号順にデータブロックを並べることでモジュールを再構成する。DIIメッセージは、当該データカルーセルで伝送されるモジュールについての情報（モジュールサイズ、モジュールバージョンなど）を伝送する。モジュールの増減、または、モジュールに更新があった場合には、DIIメッセージは更新される。DIIセクションを常時監視し、更新を検知することにより、データカルーセルを構成するモジュールに変化があったことを知ることができる。なお、データカルーセルを伝送するコンポーネントがデータコンポーネントであり、同一PIDのTSパケットで伝送される。
【００９７】
又、放送局から受信機で動作しているBMLブラウザに対して、即座に、メッセージ情報を送る方法として、汎用イベントメッセージ記述子が伝送される。
【００９８】
DIIメッセージを伝送するDSM-CCセクションを「DIIセクション」という。DDBメッセージを伝送するDSM-CCセクションを「DDBセクション」という。汎用イベントメッセージ記述子を伝送するDSM-CCセクションを「EMセクション」という。
【００９９】
（３セグメント受信端末の構成）
第３の実施形態に係る３セグメント受信端末１０は、図１に示す第１の実施形態と同様である。
【０１００】
又、第３の実施形態に係る３セグメント受信端末１０のＣＰＵ１００は、図１８に示すように、1/3seg切り替え制御部１０１と、コンテンツ受信・構築制御部１０２と、ＢＭＬブラウザ１０３と、キャッシュ制御部１０４とを備える。
【０１０１】
1/3seg切り替え制御部１０１は、１セグメント方式による受信と、３セグメント方式による受信とを切り替えるようチューナ・復調部１２を制御する。又、1/3seg切り替え制御部１０１は、３セグメント方式による放送に多重されたサービスのうち選択されたサービスが、Ａ階層によるサービスか、Ａ階層及びＢ階層によるサービスかを判定する。又、1/3seg切り替え制御部１０１は、選択サービスを構成するＢ階層によって伝送されるコンポーネントがデータコンポーネントのみであることを判定する。更に、1/3seg切り替え制御部１０１は、３セグメント方式による放送に多重されたサービスのうち選択されたサービスが、Ａ階層及びＢ階層によるサービスであると判定され、かつ、選択サービスを構成するＢ階層によって伝送されるコンポーネントがデータコンポーネントのみであると判定され、かつ、ＢＭＬブラウザ１０３により、最初に提示するスタートアップ文書を含むモジュールであるエントリ・モジュールが取得された場合、即座に、若しくは、一定時間経過後に、１セグメント方式による受信に切り替える。これは、スタートアップ文書からＢ階層で伝送されるデータコンポーネントのモジュールを参照することもあり、切替制御を簡略化するために、一定時間経過後に切り替えることが望ましい。
【０１０２】
又、1/3seg切り替え制御部１０１は、１セグメント方式による受信に切り替えた後、ＢＭＬブラウザ１０３による、Ｂ階層で伝送されるモジュールに対する取得要求、又は、Ｂ階層で伝送されるモジュールに対するキャッシュへの受信と固定要求、又は、Ｂ階層で伝送されるモジュールに対する更新監視要求、又は、Ｂ階層で伝送されるイベントメッセージの受信要求により、３セグメント方式の受信に切り替え、すべての要求が完了した場合に、１セグメント方式の受信に切り替える。
【０１０３】
コンテンツ受信・構築制御部１０２は、ＤＥＭＵＸ処理部１３にDSM-CCセクション受信要求を送信し、ＤＥＭＵＸ処理部１３からDSM-CCセクションを受信する。
【０１０４】
ＢＭＬブラウザ１０３は、データ放送におけるマルチメディア・コンテンツを解析する。又、ＢＭＬブラウザ１０３は、解析結果に応じて、コンテンツ受信・構築制御部１０２に、モジュール更新監視要求及びイベントメッセージ監視要求を送信し、コンテンツ受信・構築制御部１０２から、モジュール更新検出応答及びイベントメッセージ検出応答を受信する。
【０１０５】
キャッシュ制御部１０４は、ＢＭＬブラウザ１０３から、モジュール取得要求及びキャッシュに対するキャッシュへの受信と固定要求を受信し、ＢＭＬブラウザ１０３に、モジュール取得通知及び固定完了通知を送信する。
【０１０６】
尚、図１９に示すサービス構成例では、（ａ）に関しては、本実施形態のサービス構成に該当するが、（ｂ）、（ｃ）に関しては、Ｂ階層に映像、音声が視聴するコンポーネントとして含まれるため、本実施形態のサービス構成に該当しない。
【０１０７】
（３セグメント受信端末の動作）
次に、第３の実施形態に係る３セグメント受信端末の動作について、図２０を用いて説明する。
【０１０８】
まず、３セグメント受信端末は、ユーザによる選局操作において、受信サービスの指定を行う（ステップＳ８０１）。次に、該当TSを受信する（ステップＳ８０２）。
【０１０９】
次に、３セグメント受信端末は、PAT及びNITを受信し、PAT情報及びTS情報記述子を含むNIT情報を参照する（ステップＳ８０３）。そして、３セグメント受信端末は、PMTがどの階層で伝送されているかを、NITに含まれるTS情報記述子を参照することで、指定のサービスは、Ａ階層サービスかＢ階層サービスかを判定する（ステップＳ８０４）。
【０１１０】
指定のサービスがＢ階層サービスである場合は、指定のサービスを構成するＢ階層で伝送されるコンポーネントは、データコンポーネントのみであるか判定する（ステップＳ８０５）。更に、指定のサービスを構成するＢ階層で伝送されるコンポーネントが、データコンポーネントのみである場合は、ＢＭＬブラウザ１０３によって、エントリ・モジュールが取得されたか判定する（ステップＳ８０６）。
【０１１１】
次に、エントリ・モジュールが取得された場合は、Ａ階層のみの受信である１セグメント方式の受信に切り替える（ステップＳ８０７）。
【０１１２】
但し、下記に挙げるケースが一つでも該当すれば、例外的に、３セグメント受信モードに切り替える。そして、すべての要求が完了した後、１／３セグメント切替え受信モードに切り替える。
【０１１３】
（１）BMLブラウザによる、B階層で伝送されるモジュールに対する取得要求
（２）BMLブラウザによる、B階層で伝送されるモジュールに対するキャッシュへの受信と固定要求（ARIB STD-B24 で規定される、B階層で伝送されるモジュールに対する、放送拡張関数lockModuleOnMemoryEx()などの実行）
（３）BMLブラウザによる、B階層で伝送されるモジュール更新監視要求（ARIB STD-B24で規定される、B階層で伝送されるモジュールに対する、割り込み事象ModuleUpdatedのsubscribe属性の設定）
（４）BMLブラウザによる、B階層で伝送されるイベントメッセージの受信要求（ARIB STD-B24で規定される、B階層で伝送される汎用イベントメッセージに対する、  割り込み事象EventMessageFiredのsubscribe属性の設定）
上記（１）の例外処理について図２１を用いて説明する。
【０１１４】
まず、ＢＭＬブラウザ１０３によるモジュールの取得要求があると（ステップＳ９０１）、コンテンツ受信・構築制御部１０２は、取得要求のあったモジュールがＢ階層で伝送されているデータコンポーネントのモジュールであるか否か判定する（ステップＳ９０２）。
【０１１５】
次に、1/3Seg切り替え制御部１０１は、現在、３セグメント受信モードか確認し（ステップＳ９０３）、１セグメント受信モードである場合は、３セグメント受信モードへ切り替える（ステップＳ９０４）。
【０１１６】
３セグメント受信モードである場合、３セグメント受信端末は、３セグ受信要求カウント値をインクリメントする（ステップＳ９０５）。この３セグ受信要求カウント値は、上記（１）〜（４）などの例外処理における要求がすべて終了したことを確認するために用いるカウント値である。
【０１１７】
次に、コンテンツ受信・構築制御部１０２は、モード切替後、PMT、当該DIIを受信したか判定する（ステップＳ９０６）。受信した場合は、キャッシュ内容を更新し、古いキャッシュは破棄する（ステップＳ９０７）。
【０１１８】
次に、キャッシュ制御部１０４は、メモリ１８に所望のモジュールが保持されているかを判定し（ステップＳ９０８）、キャッシュされていない場合には、コンテンツ受信・構築制御部１０２に対して、モジュール取得要求を行う。コンテンツ受信・構築制御部１０２は、所望のモジュールを構成するDDBセクションを受信し、モジュールを構築し、メモリ１８にキャッシュする（ステップＳ９０９）。
【０１１９】
次に、キャッシュ制御部１０４は、ＢＭＬブラウザ１０３へモジュール取得通知を送信し（ステップＳ９１０）、３セグ受信要求カウント値をデクリメントする（ステップＳ９１１）。そして、３セグ受信要求カウント値が初期値である場合（ステップＳ９１２）は、１／３セグメント切り替え受信モードへ切り替える（ステップＳ９１３）。
【０１２０】
又、上記（２）の例外処理についても図２１と同様の処理が行われる。但し、ステップＳ９０１及びＳ９１０のみが異なる。
【０１２１】
即ち、上記（２）の例外処理では、ステップＳ９０１において、ＢＭＬブラウザ１０３によるモジュールに対するキャッシュへの受信と固定要求を行う。又、ステップＳ９１０において、キャッシュ制御部１０４は、ＢＭＬブラウザ１０３へ固定完了通知を送信する。
【０１２２】
次に、上記（３）の例外処理について図２２を用いて説明する。
【０１２３】
まず、ＢＭＬブラウザ１０３によるモジュールの更新監視要求があると、コンテンツ受信・構築制御部１０２は、対象となるモジュールがＢ階層で伝送されているデータコンポーネントのモジュールであるかを判断し、Ｂ階層で伝送されるモジュールに対する更新監視要求である場合（ステップＳ１００１）、1/3Seg切り替え制御部１０１は、現在、３セグメント受信モードか確認し（ステップ１００２）、１セグメント受信モードである場合は、３セグメント受信モードへ切り替える（ステップＳ１００３）。
【０１２４】
３セグメント受信モードである場合、1/3Seg切り替え制御部１０１は、３セグ受信要求カウント値をインクリメントする（ステップＳ１００４）。
【０１２５】
次に、コンテンツ受信・構築制御部１０２は、当該データコンポーネントで伝送されるDIIセクションの更新を監視し（ステップＳ１００５）、当該モジュール更新監視要求の解除をＢＭＬブラウザ１０３から指示された場合（ステップＳ１００６）は、３セグ受信要求カウント値をデクリメントする（ステップＳ１００７）。
【０１２６】
そして、３セグ受信要求カウント値が初期値である場合は（ステップＳ１００８）、１／３セグメント切り替え受信モードへ切り替える（ステップＳ１００９）。
【０１２７】
又、上記（４）の例外処理についても図２２と同様の処理が行われる。但し、ステップＳ１００１、Ｓ１００５及びＳ１００６のみが異なる。
【０１２８】
即ち、上記（４）の例外処理では、ステップＳ１００１において、ＢＭＬブラウザ１０３によるＢ階層で伝送されるイベントメッセージ監視要求が指示される。又、ステップＳ１００５において、当該EMセクションの更新を監視し、ステップＳ１００６において、当該EM監視要求の解除をＢＭＬブラウザ１０３から指示されたか否か判断する。
【０１２９】
（作用及び効果）
第４の実施形態に係る３セグメント受信端末によると、Ａ階層で伝送される音声に加え、Ｂ階層で伝送されるマルチメディア・コンテンツも視聴する場合、３セグメント受信モードで、必要なモジュールであるマルチメディア・コンテンツを取得した後は、１／３セグメント切替え受信モードに切り替えることができる。
【０１３０】
このため、第４の実施形態に係る３セグメント受信端末によると、デジタル放送受信動作を停止させることなく、消費電力の低減化及び信号処理量の低減化を実現することができる。
【０１３１】
又、第４の実施形態に係る３セグメント受信端末は、ＢＭＬブラウザ１０３による、Ｂ階層で伝送されるモジュールに対する取得要求、又は、Ｂ階層で伝送されるモジュールに対するキャッシュへの受信と固定要求、又は、Ｂ階層で伝送されるモジュールに対する更新監視要求、又は、Ｂ階層で伝送されるイベントメッセージの受信要求により、３セグメント方式の受信に切り替え、すべての要求が完了した場合に、１セグメント方式の受信に切り替えることができる。
【０１３２】
このため、Ｂ階層で伝送されるモジュールやイベントメッセージが必要な場合は、３セグメント方式による受信が可能となる。
【図面の簡単な説明】
【０１３３】
【図１】第１〜第４の実施形態に係る３セグメント受信端末の構成ブロック図である。
【図２】地上デジタル音声放送における伝送モデルである。
【図３】階層伝送におけるサービスパターンを示す図である。
【図４】第１〜第４の実施形態に係る３セグメント受信端末の動作を示すフローチャートである（その１）。
【図５】第１〜第４の実施形態に係る３セグメント受信端末の動作を示すフローチャートである（その２）。
【図６】第１〜第４の実施形態に係るＡ階層コンポーネント管理テーブルの一例である。
【図７】図６のstream_typeを説明するためのテーブルである。
【図８】第１の実施形態に係る３セグメント受信端末の動作を示すフローチャートである。
【図９】第２の実施形態に係る３セグメント受信端末の動作を示すフローチャートである。
【図１０】第３の実施形態に係る３セグメント受信端末の動作を示すフローチャートである。
【図１１】第１〜第３の実施形態に係る階層伝送におけるサービス構成例である。
【図１２】図１１におけるNIT TS情報記述子の記載例である。
【図１３】第３の実施形態に係る３セグメント受信端末の画面表示例である（その１）。
【図１４】第３の実施形態に係る３セグメント受信端末の画面表示例である（その２）。
【図１５】第３の実施形態に係るサービス構成例と画面表示例とを示す図である。
【図１６】第３及び第４の実施形態に係るタイマートリガによる切り替え制御を説明するための図である。
【図１７】データカルーセル伝送方式の概要を示す図である。
【図１８】第４の実施形態に係る３セグメント受信端末の構成ブロック図である。
【図１９】第４の実施形態に係るサービス構成例を示す図である。
【図２０】第４の実施形態に係る３セグメント受信端末の動作を示すフローチャートである（その１）。
【図２１】第４の実施形態に係る３セグメント受信端末の動作を示すフローチャートである（その２）。
【図２２】第４の実施形態に係る３セグメント受信端末の動作を示すフローチャートである（その３）。
【符号の説明】
【０１３４】
１０…３セグメント受信端末
１１…アンテナ
１２…チューナ・復調部
１３…ＤＥＭＵＸ処理部
１４…音声復号部
１５…簡易動画復号部
１６…提示処理部
１７…I/O
１８…メモリ
１９…システムバス
１００…ＣＰＵ
１０１…1/3Seg切り替え制御部
１０２…コンテンツ受信・構築制御部
１０３…ＢＭＬブラウザ
１０４…キャッシュ制御部
【図１】
2007274193.tif 000003
【図２】
2007274193.tif 000004
【図３】
2007274193.tif 000005
【図４】
2007274193.tif 000006
【図５】
2007274193.tif 000007
【図６】
2007274193.tif 000008
【図７】
2007274193.tif 000009
【図８】
2007274193.tif 000010
【図９】
2007274193.tif 000011
【図１０】
2007274193.tif 000012
【図１１】
2007274193.tif 000013
【図１２】
2007274193.tif 000014
【図１３】
2007274193.tif 000015
【図１４】
2007274193.tif 000016
【図１５】
2007274193.tif 000017
【図１６】
2007274193.tif 000018
【図１７】
2007274193.tif 000019
【図１８】
2007274193.tif 000020
【図１９】
2007274193.tif 000021
【図２０】
2007274193.tif 000022
【図２１】
2007274193.tif 000023
【図２２】
2007274193.tif 000024